(57)【要約】【課題】傾斜板上に滞留する汚泥を簡単かつ確実に除去することができるだけでなく、その除去が池底を進退走行する汚泥掻寄装置そのものを移動手段として利用することにより簡単な機構をもって可能となるようにした沈降滞留物除去装置を提供すること。【解決手段】沈澱池などの処理池の上流側には、汚水の流入部が設けられるとともにその流入部の下方には汚泥ピットが形成された底壁が設けられ、底壁上には、汚泥ピットの方向に前進しかつ汚泥ピットとは逆方向に後退する進退自在な汚泥スクレーパ付き汚泥掻寄装置が装備され、処理池内には、傾斜板が配備されているものにおいて、前記汚泥掻寄装置には、傾斜板側に対し下方から水流を噴射する水噴射手段が装備されていることを特徴とする。【選択図】図２
2020093245.tif 000002
【特許請求の範囲】
【請求項１】
沈澱池などの処理池の上流側には、汚水の流入部が設けられるとともにその流入部の下方には汚泥ピットが形成された底壁が設けられ、底壁上には、汚泥ピットの方向に前進しかつ汚泥ピットとは逆方向に後退する進退自在な汚泥スクレーパ付き汚泥掻寄装置が装備され、処理池内には、傾斜板が配備されているものにおいて、前記汚泥掻寄装置には、傾斜板側に対し下方から水流を噴射する水噴射手段が装備されていることを特徴とする沈降滞留物除去装置。
【請求項２】
沈澱池などの処理池の上流側には、汚水の流入部が設けられるとともにその流入部の下方には汚泥ピットが形成された底壁が設けられ、底壁上には、汚泥ピットの方向に前進しかつ汚泥ピットとは逆方向に後退する進退自在な汚泥スクレーパ付き汚泥掻寄装置が装備され、処理池内には、傾斜板が配備されているものにおいて、前記汚泥掻寄装置には、傾斜板側に対し上方から水流を噴射する水噴射手段とともにブラシなどの接触除去手段が併設されていることを特徴とする沈降滞留物除去装置。
【発明の詳細な説明】
【技術分野】
【０００１】  この発明は、沈降滞留物除去装置に関する。
【背景技術】
【０００２】  例えば、矩形沈澱池には、流入される汚水に対向する形で前後複数枚の傾斜板を配備しておき、これら傾斜板の斜面上に汚泥を滞留させることにより出来るだけ流入側である汚泥ピットに近いところに汚泥を沈降させ回収しやすくしている。そうした傾斜板を配備したものがある（例えば、特許文献１）。
【先行技術文献】
【特許文献】
【０００３】
【特許文献１】特開２０００−２０２２０８号
【発明の概要】
【発明が解決しようとする課題】
【０００４】  傾斜板上に滞留した沈降滞留物はそのままでは回収しにくいため、上記特許文献１では積極的に振動を与えて剥離沈降を促進するようにしたものである。しかし、振動を与えるだけでは沈降滞留物は剥がれ落ちにくく、従って水質の改善効果は今一つのところがあった。【０００５】  この発明は、このような従来の問題を解決しようとするものであり、傾斜板上に滞留する汚泥を簡単かつ確実に除去することができるだけでなく、その除去が池底を進退走行する汚泥掻寄装置そのものを移動手段として利用することにより簡単な機構をもって可能となるようにした沈降滞留物除去装置を提供することを目的とする。
【課題を解決するための手段】
【０００６】  上記目的を達成するため、請求項１に記載の発明は、沈澱池などの処理池の上流側には、汚水の流入部が設けられるとともにその流入部の下方には汚泥ピットが形成された底壁が設けられ、底壁上には、汚泥ピットの方向に前進しかつ汚泥ピットとは逆方向に後退する進退自在な汚泥スクレーパ付き汚泥掻寄装置が装備され、処理池内には、傾斜板が配備されているものにおいて、前記汚泥掻寄装置には、傾斜板側に対し下方から水流を噴射する水噴射手段が装備されていることを特徴とする。水噴射手段とは、水貯留部からポンプおよびホースやパイプなどの送水手段、ノズルなど一連のもの全てを含む。
請求項２に記載の発明は、沈澱池などの処理池の上流側には、汚水の流入部が設けられるとともにその流入部の下方には汚泥ピットが形成された底壁が設けられ、底壁上には、汚泥ピットの方向に前進しかつ汚泥ピットとは逆方向に後退する進退自在な汚泥スクレーパ付き汚泥掻寄装置が装備され、処理池内には、傾斜板が配備されているものにおいて、前記汚泥掻寄装置には、傾斜板側に対し上方から水流を噴射する水噴射手段とともにブラシなどの接触除去手段が併設されていることを特徴とする。
【発明の効果】
【０００７】  上述したようにこの発明の沈降滞留物除去装置によれば、沈澱池などの処理池の上流側には、汚水の流入部が設けられるとともにその流入部の下方には汚泥ピットが形成された底壁が設けられ、底壁上には、汚泥ピットの方向に前進しかつ汚泥ピットとは逆方向に後退する進退自在な汚泥スクレーパ付き汚泥掻寄装置が装備され、処理池内には、傾斜板が配備されているものにおいて、前記汚泥掻寄装置には、傾斜板側に対し下方から水流を噴射する水噴射手段が装備されていることを特徴とするので、傾斜板上に滞留する汚泥を簡単かつ確実に除去することができるだけでなく、その除去が池底を進退走行する汚泥掻寄装置そのものを移動手段として利用することにより簡単な機構をもって可能となるようにした沈降滞留物除去装置を提供することができるようになる。
【図面の簡単な説明】
【０００８】
【図１】  この発明の一実施形態を図２のＩ−Ｉ線に沿って示す横断面図。
【図２】  図１のＩＩ−ＩＩ線断面図。
【図３】  図２のＩＩＩ−ＩＩＩ線断面図。
【図４】  他の実施形態を示す縦断面図。
【図５】  図４のＶ−Ｖ線断面図。
【図６】  他の実施形態を示す縦断面図。
【図７】  他の実施形態を示す横断面図。
【図８】  他の実施形態を示す縦断面図。
【図９】  他の実施形態を示す要部拡大断面図。
【図１０】  他の実施形態を示す横断正面図。
【図１１】  他の実施形態を示す図１２のＸＩ−ＸＩ線断面図。
【図１２】  図１１のＸＩＩ−ＸＩＩ線断面図。
【図１３】  他の実施形態を示す縦断面図。
【図１４】  他の実施形態を示す縦断面図。
【図１５】  図１４のＸＶ−ＸＶ線拡大断面図。
【図１６】  他の実施形態を図１７のＸＶＩ−ＸＶＩ線に沿って示す横断面図。
【図１７】  図１６のＸＶＩＩ−ＸＶＩＩ線断面図。
【図１８】  図１７のＸＶＩＩＩ−ＸＶＩＩＩ線断面図。
【図１９】  他の実施形態を示す側断面図。
【発明を実施するための形態】
【０００９】  以下、この発明の実施形態を詳細に説明する。
図１ないし図３は、沈降滞留物除去装置についての一実施形態で、１は矩形をした沈澱池（処理池）で、多孔状の流入部（整流壁）２の設けられた上流側の前端壁３とそれに対向する下流側の後端壁４とを備えるとともに、幅方向に対向する左右の側壁５，５を備える。沈澱池１の底壁６は、図２では水平に図示してあるが、実際には上流側に形成された汚泥ピット７の方向に極く緩やかに下がり傾斜している。底壁６の後端壁４側の端部にはテーク側斜壁部（ハンチ）８が形成されている。
【００１０】  １０は汚泥掻寄装置で、同装置１０は、底壁６上の池幅中央を通るように固定されたモノレール式のガイドレール１１を備え、ガイドレール１１上に前後長の短い車上機１２を池長手方向に進退駆動自在に装備している。
車上機１２は、上からみて矩形枠体とされた機体１３を備えるとともに、その機体１３には４輪をなす走行輪１４を備える。機体１３の前後には、機体１３の前後上に左右一対をなして固定された軸受１５を介して通されたスクレーパ軸１６が設けられるとともに、各スクレーパ軸１６を介して垂直と前後跳ね上がり状とに上下回転自在とした汚泥スクレーパ１７，１７が設けられている。
【００１１】  前側のスクレーパ軸１５の幅間中央からはスクレーパ軸１５とともに回転し得る前レバー１８が突設される一方、後側の汚泥スクレーパ１６の幅間中央のジョイント１９と前レバー１８の先端ジョイントとの間には後下がり状をなす連動リンク２０が連結されている。連動リンク２０の前後間下部には突片２１が設けられている。突片２１が前方に引かれると連動リンク２０を介して前後の汚泥スクレーパ１６，１６は垂直な掻寄態勢になる一方、突片２１が後方へ引かれると連動リンク２０も後方に引かれて前後の汚泥スクレーパ１６，１６は前方および後方にそれぞれ持ち上げられて非掻寄（復帰）態勢とされる。
【００１２】  ２４は駆動源、２５は駆動ホイール（スプロケット）で、２つの前アイドラ２６と後アイドラ２７に掛け渡されるようにしてリンクチェーン・ワイヤなどの伝達部材２８が設けられている。伝達部材２８の下部上回りの部分は突片２１に連結されている。伝達部材２８が、Ｆ方向に引かれることで汚泥スクレーパ１７，１７は垂直になって汚泥ピット７の方向（上流方向）に掻き寄せ態勢となり、逆にＲ方向に引かれると汚泥スクレーパ１７，１７は持ち上げられるとともに反汚泥ピット方向（下流方向）に復帰する態勢となる。
【００１３】  ３０は引張ワイヤで、汚泥掻寄装置１０の少し上側で池幅中央を通るように設けられたもので、この引張ワイヤ３０には上下に蛇行状をなして送水ホース３１が設けられ、前後に伸縮自在とされている。送水ホース３１の基部は、前後のガイドローラー３２により安定に案内されるとともにその上端は巻取り繰り出し可能なようにホースドラム３３に巻き付けられている。ホースドラム３３の送水ホース３１には図示しない貯留槽内のポンプに接続されている。
【００１４】  送水ホース３１の前端は、機体１３の中に通された機内パイプ３５に接続されるとともに、機体１３上に門型に突設された支持パイプ３６内に連通状とされ、さらに支持パイプ３６上に横長状をなして固定した連通パイプ３７にも連通してノズル３８…から水噴射可能に構成されている。この水は上方斜め前方へ向けて噴射されるようにされ、その上方には複数枚の傾斜板４０…が設けられている。傾斜板４０は、くの字状でその下半部が下流側に向けて下がり傾斜していることからノズル３８…もそれに合わせた角度をもって前上がり状にされている。４１はスカム除去装置、４２は越流堰である。４３は中間整流壁で傾斜板４０の後半部前側に配置されていてその下側には汚水の下回りからの通過を阻止するための阻流板４４が設けられている。４５は機体上に設けた凸弓なり部材である阻流板越えガイドである。
【００１５】  図１ないし図３は汚泥掻寄装置１０が下流端から掻寄態勢で１０ｍ程度前進した状態を示しており、ノズル３８からの水噴射は（後の）傾斜板４０の下流端に対応するタイミングから開始され、図２の状態でもそれが維持されるとともに（後の）傾斜板４０の前端に対応するところまで噴射は続けられる。これらは図示しないバルブ制御によりなされる。汚泥掻寄装置１０が復帰（後退）する際も前記範囲で水噴射がなされる。前進時のみ水噴射するようにしてもよく、また後退時のみ水噴射するようにしてもよい。後退時のみ水噴射するようにすれば、傾斜板４０から剥離した沈降滞留物が汚泥掻寄装置１０上に被るようなことがなく次の掻寄時に効率的に掻き寄せをすることができるようになる。ノズル３８からの水噴射は、常時強噴射するのでなく強弱に脈をもって噴射するようにすれば沈降滞留物の剥離脱落が効果的になされる。
尚、図２の下欄に示すように、送水ホース３１による方式でなく、機体１３上に水中ポンプ４７を搭載しその電源コード４８を送水ホース３１のように蛇行状に接続するとともにポンプ４７にノズル３８への送水パイプ４９を接続して構成することもできる。
【００１６】  図４および図５は他の実施形態を示す。機体１３に接続された送水ホース５２は図２のような蛇行吊下げ型でなくホースドラム５３を回転駆動型として繰り出しと巻取りを自在としたものであり、その中間である機体後方のホース部分はガイドレール５４間に設けたチェーンガイド５５の側部ガイド５６上を介してスライドあるいは転動自在に行うようにしたものである。
【００１７】  図６は他の実施形態を示す。連通パイプ３７への送水手段を、送水ジョイント５８…で複数の送水パイプ５９…を折れ線式に結合した伸縮型連接パイプ６０で構成し、図の左上端側を送水源側とし右端は連通パイプ３７に接続してなるものとした。
【００１８】  図７は他の実施形態を示す。連通パイプ３７への送水手段を、送水ジョイント６２…で複数の送水パイプ６３…を折れ線式に結合した伸縮型連接パイプ６４で構成し、図の右端側を送水源側とし左端は連通パイプ３７に接続してなるものとしたものにおいて、特に、連接パイプ６４を池底平面と平行な面内で伸縮運動をするものとした。
【００１９】  図８は他の実施形態を示す。汚泥掻寄装置１０のスクレーパ軸１６には機内パイプ３５に連通する延長パイプ６６を接続してバルブ６７で適時（前進端）に開閉可能とするとともに、スクレーパ軸１６には前ノズル６８を設けて汚泥スクレーパ１７が持ち上げられた際に水噴射を行ってスクレーパ７に付着残留する汚泥を剥離除去して汚泥ピット７に落とし込むようにしたものである。
【００２０】  図９は他の実施形態を示す。汚泥掻寄装置１０の後部のスクレーパ軸１６には後ノズル７０を設けて汚泥スクレーパ１７の後面側に平行に水噴射可能とすることにより後退時に汚泥スクレーパ１７が持ち上げられた時点でテーク側斜壁部８上に沈積する汚泥を前方へと誘導するように構成したものである。後ノズル７０は、スクレーパ軸１６に連通状に付加した補助パイプ７１に配備してもよい。後ノズル７０からの水噴射は、汚泥スクレーパ１７が持ち上げられ下がって掻寄態勢となる間、あるいは下がってくる間のみとし、この水噴射はノズル３８からの水噴射とは独自の別タイミングでなされる。
【００２１】  図１０は他の実施形態を示す。汚泥掻寄装置１０のガイドレール１１間には汚泥が沈積してくるが、この例では、スクレーパ軸１６から逆Ｔ字形をした連通パイプ７３を突設するとともに、該パイプ７３に備えた下ノズル７４…によりガイドレール間の汚泥を噴出排除するようにしたものである。ガイドレール１１には排除孔７５を設けて側方に汚泥が排除されやすくなるようにしてもよい。
【００２２】  図１１および図１２は他の実施形態を示す。８０は矩形をした沈澱池（処理池）で、多孔状の流入部（整流壁）８１の設けられた上流側の前端壁８２とそれに対向する下流側の後端壁８３とを備えるとともに、幅方向に対向する左右の側壁８４，８４を備える。沈澱池８０の底壁８５は、図１２では水平に図示してあるが、実際には上流側に形成された汚泥ピット８６の方向に極く緩やかに下がり傾斜している。底壁８５の後端壁８３側の端部にはテーク側斜壁部（ハンチ）８７が形成されている。
【００２３】  ９０は汚泥掻寄装置で、同装置９０は、底壁８５上の池幅中央を通るように固定されたモノレール式のガイドレール９１を備え、ガイドレール９１上に前後長のロングな車上機９２を池長手方向に進退駆動自在に装備している。この汚泥掻寄装置９０は、前後複数の機体９３…と機体９３間をつなぐ連結パイプ９４…とを備える。機体９３は走行輪９５を備えてガイドレール９１を軌道として振れないように走行自在とする。
【００２４】  ９６は主連動レバーで、各機体９３の前後間位置に前後に揺動するように取り付けられている。９７は副連動レバーで、各機体９３の前後位置に設けられ、これら主・副連動レバー９６，９７は連動ロッド９８でつながれている。各副連動レバー９７には、汚泥スクレーパ９９が連動自在に取り付けられ、垂直な掻寄状態と前上がりの非掻寄（復帰）状態とに上下するようになっている。
【００２５】  最も先行する機体９３に設けられた主連動レバー９６には、ワイヤロープやリンクチェーンなどの伝達部材１０１の一端がつながれ、この伝達部材１０１は、池上に設置の駆動源１０２により図１２の実線矢印Ｆ・Ｒのように正逆に駆動されるようになっている。伝達部材１０１は、駆動源１０２を介してガイドレール９１内を通されガイドレール９１の後端を迂回して後端の機体９３の主連動レバー９６に他端が結ばれさらに前後間の機体９３の主連動レバー９６と最前部の機体９３の主連動レバー９６につながれて全ての主連動レバー９６…が前後に同期連動するようになっている。これにより、前後の汚泥スクレーパ９９…が掻寄状態と非掻寄状態に切り換えられるようになっている。１００はスクレーパ軸、１０３は駆動ホイール、１０４…はアイドラである。
【００２６】  図１１および図１２は、汚泥掻寄装置９０が汚泥スクレーパ９９を垂直に下げた掻寄状態とされて底壁８５上に沈降した汚泥を汚泥ピット８６の方向に１０ｍ前後掻き寄せて進行中である状態を示している。この掻寄状態は、駆動源１０２により伝達部材１０１が図１２の矢印Ｆ方向に牽かれることにより主連動レバー９６が前倒れになり副連動レバー９７も前倒れになって汚泥スクレーパ９９が垂直状態とされることにより得られる。駆動源１０２が逆回転されて伝達部材１０１が矢印Ｒ方向に牽かれると、主・副連動レバー９６，９７が後方（図１２の右回り）に倒されて汚泥スクレーパ９９は持ち上げられて非掻寄状態（復帰状態）とされるとともに車上機９２を図１２の右方向Ｒに牽引して元の位置まで掻寄なしで復帰させる。
【００２７】  １０６は引張ワイヤで、汚泥掻寄装置９０の少し上側で池幅中央を通るように設けられたもので、この引張ワイヤ１０６には上下に蛇行吊下げ状をなして送水ホース１０７が設けられ、前後に伸縮自在とされている。送水ホース１０７の基部は、前後のガイドローラー１０８により安定に案内されるとともにその上端は巻取り繰り出し可能なようにホースドラム１０９に巻き付けられている。ホースドラム１０９の送水ホース１０７には図示しない貯留槽内のポンプに接続されている。
【００２８】  送水ホース１０９の前端は、機体９３の中に通された機内パイプ１１１に接続されるとともに、機体９３上に門型に突設された支持パイプ１１２内に連通状とされ、さらに支持パイプ１１２上に横長状をなして固定した連通パイプ１１３にも連通してノズル１１４…から水噴射可能に構成されている。この水は上方斜め前方へ向けて噴射されるようにされ、その上方には複数枚の傾斜板１１６…が前後ユニットとして設けられている。
【００２９】  傾斜板１１６は、くの字をジグザグ状にした側面形状をもつものでその下端部が上流側に向けて下がり傾斜していることからノズル１１４…もそれに合わせた角度をもって後上がり状にされている。前方２台の機体９３，９３のノズル１１４には、連結パイプ９４，９４および機内パイプ１１１，１１１を伝って送水がなされるようになっている。
１１７はスカム除去装置、１１８は排水路（越流堰）である。前ユニットである傾斜板１１６が構成されない場合には、先端の機体９３のノズル１１４は省略されるなど、傾斜板１１６の配列の仕方に応じてノズル１１４や機内パイプ１１１などの構成は変更してゆく。１２０は中間整流壁で傾斜板１１６の後半部前側に配置されていてその下側には汚水の下回りからの通過を阻止するための阻流板が設けられることもある。
【００３０】  図１１および図１２は汚泥掻寄装置１０が下流端から掻寄態勢で前進し最前端の汚泥スクレーパ９９が汚泥ピット８６上にさしかかった状態を示しており、ノズル１１４…からの水噴射は復帰して掻寄態勢とされ前進を開始した時点から開始され、図１２のように前進端にくるまでの間なされ、さらに復帰する間もなされる。これらは図示しないバルブ制御によりなされる。前進時のみ水噴射するようにしてもよく、また後退時のみ水噴射するようにしてもよい。水噴射は常時なされるものとせず、必要な時点のみ定期的に行うようにしてもよい。ノズル１１４からの水噴射は、常時強噴射するのでなく強弱に脈をもって噴射するようにすれば沈降滞留物の剥離脱落が効果的になされる。
尚、ノズルはパイプでなるスクレーパ軸１００に配備してもよく、この場合、ノズルの角度は汚泥掻寄装置９０が進・退する際に切り換えられることから沈降滞留物の剥離脱落が効果的になされる。その一方で、ノズルからの噴射は前進の際のみ噴射制御するようにしてもよい。図１２の下欄に示すように、送水ホース１０７による方式でなく、機体９３上に吸込パイプ１２１付き水中ポンプ１２２を搭載しその電源コード１２３を送水ホース１０７のように蛇行状に接続するとともにポンプ１２２にノズル１１４への送水パイプ１２４を接続して構成することもできる。
【００３１】  図１３は他の実施形態を示す。機体９３の機内パイプ１１１への送水手段は、スイングアーム１２６に送水ホース１２７を掛装したものであってもよい。この送水手段は、上流側に設けることもできる。
【００３２】  図１４および図１５は他の実施形態を示す。機体９３に接続された送水ホース１３０は図１２のような蛇行吊下げ型でなくホースドラム１３１を回転駆動型として繰り出しと巻取りを自在としたものであり、その中間である機体後方のホース部分はガイドレール１３２間に設けたチェーンガイド１３３の側部ガイド１３４上を介してスライドあるいは転動自在に行うようにしたものである。
尚、傾斜板１１６は、図１４の左欄に示すように、上部と下部とがスリットを介して離間配置されたいわゆるウノ式としてもよく、この形式は、図１以降の全ての実施形態において採用することができる。
【００３３】  図１６ないし図１８は、沈降滞留物除去装置についての一実施形態で、２０１は矩形沈澱池で、多孔状の流入部２０２の設けられた上流側の前端壁２０３とそれに対向する下流側の後端壁２０４とを備えるとともに、幅方向に対向する左右の側壁２０５，２０５を備える。沈澱池２０１の底壁２０６は、図１７では水平に図示してあるが、実際には上流側に形成された汚泥ピット２０７の方向に緩やかに下がり傾斜している。
【００３４】  ２１０は汚泥掻寄装置で、同装置２１０は、底壁２０６上の池幅中央を通るように固定されたモノレール式のガイドレール２１１を備え、ガイドレール２１１上にロングスリムタイプの車上機２１２を池長手方向に進退駆動自在に装備している。
車上機２１２は、前後複数の機体２１３…とこれら機体２１３…間をつなぐ連結パイプ２１４…とを備える。各機体２１３は走行輪２１５を備えてガイドレール２１１を軌道として振れないように走行自在とする。
【００３５】  ２１６は主連動レバーで、各機体２１３の前後間位置に前後に揺動するように取り付けられている。２１７は副連動レバーで、各機体２１３の前後位置に設けられ、これら主・副連動レバー２１６，２１７は連動ロッド２１８でつながれている。各副連動レバー２１７には、汚泥スクレーパ２１９が連動自在に取り付けられ、垂直な掻寄状態と前上がりの非掻寄（復帰）状態とに上下するようになっている。
【００３６】  最も先行する機体２１３に設けられた主連動レバー２１６には、ワイヤロープやリンクチェーンなどの伝達部材２２１の一端がつながれ、この伝達部材２２１は、池上に設置の駆動源２２２により図１７の実線矢印Ａのように牽かれたり緩めたりすることができるようになっている。伝達部材２２１は、駆動源２２２を介してガイドレール２１１内を通されガイドレール２１１の後端を迂回して後端の機体２１３の主連動レバー２１６に他端が結ばれて図１７の矢印Ｂ方向に牽くようになっている。主連動レバー２１６…同士の前後間は図示しないが連結パイプ２１４内を通じて他の伝達部材によりつながれており、これにより、前後の汚泥スクレーパ２１９…が掻寄状態と非掻寄状態に切換連動されるようになっている。２２３は駆動ホイール、２２４…は前後のアイドルホイールである。
【００３７】  図１６ないし図１７は、汚泥掻寄装置２１０が汚泥スクレーパ２１９を垂直に下げた掻寄状態とされて底壁２０６上に沈降した汚泥を汚泥ピット２０７の方向に掻き寄せその掻寄が終了した時点の状態を示している。この掻寄状態は、駆動源２２２により伝達部材２２１が図１７の矢印Ａ方向に牽かれることにより主連動レバー２１６が前倒れになり副連動レバー２１７も連動して前倒れになって汚泥スクレーパ２１９が垂直状態とされることにより得られる。駆動源２２２が逆回転されて伝達部材２２１が図１７の矢印Ｂ方向に牽かれると、主・副連動レバー２１６，２１７が後方（図１７の右回り）に倒されて汚泥スクレーパ２１９は持ち上げられて非掻寄状態（復帰状態）とされるとともに車上機２１２を図１７の右方向Ｂに牽引して元の位置まで掻寄なしに復帰させる。
【００３８】  車上機２１０の先行する機体２１３上には、左右一対の垂直材ａ、ａとその上端のつなぎ材ｂとで門型にした支柱２２６が高く立設され、その上端には、水面２２７上の浮遊物であるスカムをスカム除去装置２３０まで掻き寄せるスカムスクレーパ２２８が起倒自在に取り付けられている。この起倒は前記汚泥スクレーパ２１９に連動してなされるもので、スカム除去装置２３０の方向Ｘには起立しその逆方向Ｙには倒れて水面下を戻るように進退する。
前記支柱２２６は門型でなくその中央に単一本の垂直材ａを有し上端にＴ字形をなすように横架材を備えた単一本型にしてもよい。
尚、スカムスクレーパ２２８は、底壁６に平行に移動する。
【００３９】  スカム除去装置２３０は、円筒パイプ製のスカムスキマータイプでもよいが、ここでは、固定トラフ式とされている。２３１は連通トラフで、側壁２０５に貫通状に固定され、その間にトラフ２３２が固定して横架されている。トラフ２３２の前には堰２３３が設けられて上下駆動手段２３４で水面２２７を境に上下運動されるようになっており、水面下に沈むことで水面を浮遊するスカムを呑み込み水面上に上がることで呑み込みを停止するようになっている。
【００４０】  スカムスクレーパ２２８がＸ方向に前進してくると、支柱２２６から前方に突設したカム材（図示省略）がトラフ２３２から突設した検知スイッチ（図示省略）を作動させて前記上下駆動手段（電動シリンダなど）２３４を下げ方向に連動し一定時間後に上げ方向に復帰するようになっている。尚、２３７は越流堰である。
【００４１】  ２４０は前傾斜板で、くの字折版形状をしたもので、この実施形態では、図１７のように前端が汚泥ピット２０７の上方に位置し後端がスカム除去装置２３０の手前に位置するように前後に一定の間隔を置いて多数枚配備されている。この前傾斜板２４０は、図１６および図１８に示すように、汚泥掻寄装置２１０の支柱２２６が通るに充分な幅を空けて池幅方向の左右に配備されている。これら前傾斜板２４０は、パイプ製の吊下フレーム（図示省略）により左右それぞれが吊り下げられている。吊下フレームは、前後の水平梁とこれらを支持する斜行材および前後の水平梁間を２本をもってつなぐ吊下梁からなり、吊下梁から下げられた吊材を介して前記前傾斜板２４０…が支持されている。
尚、後傾斜板２４２…も同様の支持方式とされているが、この後傾斜板２４２については省略されることがある。
【００４２】  こうした傾斜板付き沈澱池において、支柱２２６の上端両脇には、ステー２４５，２４５が前後に水平状に向くバーとして取り付けられ、これら左右のステー２４５，２４５の前後底面を介して２本平行状をなす取付バー２４６，２４６が池幅方向にその長手を向けるようにして横架固定されている。これら取付バー２４６は傾斜板２４０，２４１の１００ないし２００ｍｍ上方にあるようにしてかつ傾斜板２４０，２４１の幅を超える長いバーとされるとともに、各取付バー２４６の底部には、ブラシ式の接触除去手段２４７…が多数本垂設されている。その長さは２００〜４００ｍｍとされる。接触除去手段２４７は、ＳＵＳやチタン、アルミ合金などの金属製のものや炭素繊維やガラス繊維などを基材とする強化線条材を用いることができる。また、プレート型あるいはリンク型などのチェーンを用いることもできる。
【００４３】  左右のステー２４５の前後に対応する底部位置には、パイプ受２４８が垂設され、その左右のパイプ受２４８，２４８を介して射水パイプ２５０が単一本のパイプとして設けられている。射水パイプ（水噴射手段）２５０は池幅方向に延びて傾斜板２４０，２４２よりも幅広状をなすとともに傾斜板２４０，２４２よりも５０〜１００ｍｍ上方を通過するようにノズル（水噴射手段）２５１…を備えている。
射水パイプ２５０への水の供給は、図１７に示すように、先行する機体２１３に水中ポンプ２５３を搭載して供給するようにしたり、下流側池上からの高圧水供給ホース２５５を機体２１３から連結パイプ２１４を通じて導くようにしたりする。ホース２５５は、汚泥掻寄装置２１０の進退ストローク分を吸収するため上方付勢されたスイングアーム２５６を備えて対応することができる。また、池上に通した吊持ワイヤ２５８に添って移動自在とした高圧水供給ホース２５９を経由して供給するようにしてもよい。
【００４４】  汚泥掻寄装置２１０が前進すると、図１７に示すように、前側の接触除去手段２４７が先に傾斜板２４０，２４２の上部傾斜面に接触してゆくことからそこに沈降滞留する汚泥は容易確実に接触除去されて掻き落とされてゆき、そのあとノズル２５１…からの水噴射を受けるので汚泥の除去がより確実になされることになり、さらに、そのあと重複式に接触除去手段２４７が滞留汚泥の掻き落としを行うことから完全に汚泥除去がなされる。後側の接触除去手段２４７は、汚泥掻寄装置２１０が後退時にノズル２５１よりも先行して汚泥除去を行うために有効に機能するものである。
接触除去手段２４７と水噴射手段２５０，２５１とを併設する方法として、前進側に接触除去手段２４７をそのあとに水噴射手段２５０をそれぞれ１段ずつ設けるタイプと、後退側に先行して接触除去手段２４７を配置しその後側（ピット側）に水噴射手段２５０をそれぞれ１段ずつ配置するタイプとがある。
【００４５】  図１９は他の実施形態を示すもので、支柱２２６を通じて射水パイプ２５０に水を供給するための別の方式を示している。機体２１３の左右枠材には上下方向に長孔２７０が形成されており、その長孔２７０に回転軸２７１が上下し得るようにしてホースドラム２７２が装備されている。このホースドラム２７２は汚泥掻寄装置２１０が進退することに同調して回転をすることで池上ホースドラム２７３から中継ドラム２７４を経由して導かれた水供給ホース２７５を巻き取ったり繰出したりしながら常に水を供給するように進退するようにしてある。回転軸２７１と支柱２２６とは導水可能につなぐものとする。２７６はゴム突片である。
【符号の説明】
【００４６】    １、８０、２０１…沈澱池  ６，８５，２０６…底壁  ７，８６，２０７…汚泥ピット  １０、９０，２１０…汚泥掻寄装置  １７，９９，２１９…汚泥スクレーパ  ３０〜３８、１０６〜１１４、２５０，２５１…水噴射手段  ４０，１１６，２４０，２４２…傾斜板。
【図１】
2020093245.tif 000003
【図２】
2020093245.tif 000004
【図３】
2020093245.tif 000005
【図４】
2020093245.tif 000006
【図５】
2020093245.tif 000007
【図６】
2020093245.tif 000008
【図７】
2020093245.tif 000009
【図８】
2020093245.tif 000010
【図９】
2020093245.tif 000011
【図１０】
2020093245.tif 000012
【図１１】
2020093245.tif 000013
【図１２】
2020093245.tif 000014
【図１３】
2020093245.tif 000015
【図１４】
2020093245.tif 000016
【図１５】
2020093245.tif 000017
【図１６】
2020093245.tif 000018
【図１７】
2020093245.tif 000019
【図１８】
2020093245.tif 000020
【図１９】
2020093245.tif 000021